(57)【特許請求の範囲】
【請求項１】
吐水具を備えた水周り機器の吐水具内及び同吐水具に連通する流路内の滞留水を、定期的に自動吐水させて雑菌の増殖を抑制する吐水具周りの雑菌増殖抑制方法において、自動吐水の実行を一日一回に設定し、設定された自動吐水の実行が何時間後であるかを１〜２４の数値でカウントダウン表示可能とするとともに、自動吐水実行中であることを、数値０で表示するようにしたことを特徴とする吐水具周りの雑菌増殖抑制方法。
【請求項２】
自動吐水の実行タイミングとして設定された時刻の所定時間前までに通常の吐水動作が行われた場合、自動吐水をキャンセルすることを特徴とする請求項１に記載の吐水具周りの雑菌増殖抑制方法。
【発明の詳細な説明】
【０００１】
【発明の属する技術分野】
この発明は、吐水具周りの雑菌増殖抑制方法に関するものである。
【０００２】
【従来の技術】
従来、通常の吐水用蛇口や、目的に応じた専用吐水ノズルなどの吐水具を備えた水周り機器、例えば、台所用流し台、洗面化粧台、温水器、整水器、浄水器、自動手洗い器、さらにこれらが複合されたものがある。
【０００３】
これらの水周り機器に設けられた吐水具は、水道源に連通した給水パイプの端末に連通連結されており、開閉弁を開閉することにより吐水、止水が行われる。
【０００４】
他方、近年では、社会的に健康に対する意識が向上しており、一般家庭における飲用水についても、水道水から直接飲用するのではなく、浄水器や整水器を設置して、浄化した水を使用する家庭が増加している。
【０００５】
【発明が解決しようとする課題】
しかしながら、上記した吐水具を備えた水周り機器は、開閉栓を具備する吐水具を使用している以上、閉栓後には吐水具内及びこれに連通する配管内に残水が生じることが避けられない。
【０００６】
特に、健康に良いとされるアルカリ性水や脱塩素された浄水は、使用されずに長期間滞留すると、一般の水道水よりも雑菌が増殖しやすい。
【０００７】
そこで、これらの水処理装置を設置した場合に、毎日の生活で使用する分には問題ないが、例えば旅行などで数日留守する場合など、長期間あけて使用する際には、通常の水周り機器では、吐水具から所定時間（所定量）捨て水して、滞留水を処分した後の水を飲用に用いることが好ましいものとされている。
【０００８】
しかし、かかる捨て水することは面倒であり、また、捨て水をする意識が薄いことから、結局は長期間使用していなくても、帰宅すると開栓直後の水を飲用してしまうことが多い。
【０００９】
これでは、健康のために導入した水周り機器が逆効果になってしまい、雑菌を摂取してしまうことで逆に健康を損なうおそれがある。
【００１０】
本発明は、上記課題を解決することのできる吐水具周りの雑菌増殖抑制方法を提供することを目的としている。
【００１１】
【課題を解決するための手段】
上記課題を解決するために、請求項１記載の本発明では、吐水具を備えた水周り機器の吐水具内及び同吐水具に連通する流路内の滞留水を、定期的に自動吐水させて雑菌の増殖を抑制する吐水具周りの雑菌増殖抑制方法において、自動吐水の実行を一日一回に設定し、設定された自動吐水の実行が何時間後であるかを１〜２４の数値でカウントダウン表示可能とするとともに、自動吐水実行中であることを、数値０で表示するようにした。
【００１２】
また、請求項２記載の本発明では、自動吐水の実行タイミングとして設定された時刻の所定時間前までに通常の吐水動作が行われた場合、自動吐水をキャンセルすることとした。
【００１７】
【発明の実施の形態】
本発明は、吐水具を備えた水周り機器において、吐水具内及び同吐水具に連通する流路内の滞留水を、定期的に自動吐水させて雑菌の増殖を抑制することとしたものである。
【００１８】
すなわち、これ以上水を滞留させると雑菌が繁殖するおそれのある時間よりも短い間隔で定期的に所定時間吐水させることで、配管から吐水具内にかけて滞留している水を捨てて新しい水を導入し、次に使用者が吐水具から取水するときには雑菌が含まれることのないように制御するものである。
【００１９】
したがって、浄水器や整水器などの水周り機器を使用していて、旅行などで数日留守する場合でも、留守中に滞留水を自動的に排水処理して雑菌が増殖することを確実に防止できるので、帰宅後にわざわざ捨て水などをしなくてもよく、健康のために導入した前記水周り機器を安心して利用することができる。
【００２０】
本実施の形態では、この捨て水を行う吐水を、一日に１回、つまり２４時間毎に１回自動的に実行させるようにして、使用者には一切手間をかけないようにしている。
【００２１】
かかる自動吐水を行わせるために、上記吐水具は、電気的制御により駆動する電磁弁の開閉により吐水・止水可能とし、電気的制御により、容易に自動吐水できるようにしている。
【００２２】
自動吐水の実行タイミングを最初に設定する方法として、水周り機器を設置して最初に行うタイミング設定操作時から一定時間経過後の時刻に設定されるようにすることができる。
【００２３】
例えば、吐水具を備える水周り機器に、自動吐水の実行タイミングを設定する設定部を設けておき、ユーザがかかる水周り機器を購入して設置して電源をオンすると、設定部によってこの設定動作から何時間後に自動吐水させるかを適宜設定できるようにしておく。
【００２４】
したがって、現在時刻をセットし、改めて自動吐水を行わせる時刻をセットする必要はなく、きわめて簡単に自動吐水時刻を設定することができる。
【００２５】
また、自動吐水の実行タイミングを設定し終えると、このときから設定時間後の時刻まで、設定された自動吐水の実行が何時間後であるかを、１〜２４の数字でカウントダウン表示する表示部を設けておくことが好ましい。なお、カウントダウンの表示形態としては、７セグメントのLED表示を用いることができるが、液晶表示であってもよい。
【００２６】
そして、本実施の形態では、設定した後、実行タイミングの時刻となると電磁弁を所定時間開いて吐水させるとともに、前記表示部において、自動吐水実行中であることを、数字「０」で表示するようにしている。
【００２７】
自動吐水の実行時間は、配管内及び吐水具内部に滞留している水が全て排出されるのに十分な時間に設定すればよく、通常の水道圧や、吐水具内の容積及び配管容積などから算出し、工場出荷時にあらかじめ決定しておくとよく、ここでは１分間としている。
【００２８】
すなわち、水周り機器を購入して設置し、電源をオンにして、設定部により自動吐水タイミングを設定しようとする時間が午後３時である場合、夜中の午前２時に自動吐水をさせるようにするためには、使用者は設定時間を１１と入力すればよい（自動吐水させるのが何時間後であるか）。
【００２９】
すると、表示部には「１１」という数字が表示され、一時間毎に数字が減るカウントダウン表示が開始される。
【００３０】
したがって、９時間経過した午前０時には、表示部には「２」と表示されており、２時間後には自動吐水が開始されることが分かる。
【００３１】
そして、１時間経過すると表示が「１」に変わり、午前１時から午前２時になる瞬間に、表示部の数字が「１」から「０」になってタイムアップとなり、午前２時から自動吐水を１分間実行する。
【００３２】
本実施の形態では、自動吐水が実行中であることを表示するために、かかる「０」表示を、この自動吐水の１分間だけ継続するようにしている。
【００３３】
すなわち、カウントダウン表示する表示部において用いられる時間を示す数字の「０」自体を目的動作の実行中であることを示すサインとしており、自動吐水実行中であることを表示するための表示部を別途設ける必要をなくしている。
【００３４】
１分間の自動吐水が終了すると、翌日の午前２時の自動吐水までの時間、すなわち、２４時間後であることを示す「２４」という数値が表示部に示される。つまり、この「２４」の表示は、実際には５９分間継続することになる。そして、後は１時間（６０分）経過毎に、「２３」、「２２」、・・・「２」、「１」と順次、表示が変わっていく。
【００３５】
従来のタイマー機器などの表示部では、設定した目的実行時間を２４時間のインターバルでカウントダウン表示する場合、２４時間後というのは現時刻と同じなので、「２４」という数字を表示する概念がなく、時間表示として「０」〜「２３」の数字を使用するのが一般的であった。
【００３６】
つまり、１時間後の場合は「１」と表示され、タイムアップした瞬間に「０」と変わるまでは同じでも、この「０」表示は１時間継続し、次いで、「２３」という数字が表示されることになる。
【００３７】
したがって、実行目的が電源のオン・オフのような一瞬の動作であったり、あるいは１時間という６０分の長さを連続して実行するものであればよいが、上述したように、１分間などのように６０分以内の限られた時間だけ実行するものであれば、目的実行中であることを表示するためには、別途ランプを点灯させたりするなど、「実行中」であることを別表示する必要がある。
【００３８】
本実施の形態では、目的実行中の限られた短時間を「０」と表示し、６０分から実行時間を差し引いた実質１時間に満たない時間であっても「２４」という数字で表示するようにしたために、目的実行直後の表示は「２４」となって、２４時間後に再度目的が実行されることを直感的に認識することができる。
【００３９】
また、他の方法として、自動吐水の実行タイミングを、水周り機器の使用履歴から使用閑散時期を算出して設定可能とすることもできる。
【００４０】
これは、水周り機器内にマイコンを設けておき、タイマー機能と連動させて、吐水具から水を吐水させた回数や吐水から吐水までの間隔、一定時間当たりの吐水頻度などを演算し、一日のうちで、最も吐水機会の少ない時間帯を算出して、この時間帯内で適宜自動吐水させる時刻を決定するものである。そして、前述同様に２４時間のインターバルで自動吐水が実行される。
【００４１】
かかる構成とすれば、使用者は自分で自動吐水させる時刻を決定しなくても、最適なタイミングで一日一回の自動吐水を行わせることができる。
【００４２】
また、自動吐水の実行タイミング決定は、例えば一週間単位で算出された最新の使用履歴情報から週毎に更新されるようにすることができる。このようにすることで、いつでも使用者の新しい生活習慣に合わせた自動吐水タイミングとすることができる。
【００４３】
なお、自動吐水のインターバルは、２４時間の倍数であれば、何日かおいた設定時刻に自動吐水を行わせることもできる。４８時間のインターバルとすると、二日に一回は所定時刻に自動吐水が行われることになる。
【００４４】
また、自動吐水の実行タイミングとして設定された時刻の所定時間（キャンセル時間帯とする）前までに通常の吐水動作が行われた場合、節水の見地から自動吐水をキャンセルすることが望ましい。
【００４５】
すなわち、通常、雑菌増殖防止のための自動吐水は一日、あるいは二日に一度行えば十分であるが、キャンセル時間帯を例えば２〜３時間とした場合などのように、雑菌増殖に大きな影響を与えることのない時間内で自動吐水設定時刻よりも前に通常の吐水動作がなされれば、この通常吐水からわずかな２〜３時間後に設定された自動吐水はキャンセルするものである。
【００４６】
かかる設定とすれば、キャンセル時間帯内で通常吐水が行われれば自動吐水は行われないが、前記通常の吐水動作によって常に滞留水は流されることから、雑菌増殖防止という目的は達成できる。
【００４７】
また、キャンセル時間帯以外の時間帯においては、通常吐水があっても、設定時刻になれば自動吐水が行われるので、一日に一回は自動吐水が確実に行われることになる。
【００４８】
他方、キャンセル時間帯を１２時間とか２４時間などのように長い時間で設定すれば、旅行などで長期留守する場合を除き、通常の使用をする限り自動吐水は殆ど行われることはない。
【００４９】
【実施例】
以下、この発明の実施例を図面に基づき具体的に説明する。
【００５０】
図１は本実施例に係る吐水具を具備する水周り機器としてのアンダーシンク型整水器の設置状態を示す説明図、図２は同整水器の説明図、図３及び図４は本発明に係る吐水具周りの雑菌増殖抑制方法の実施例を示すフローチャート、図５及び図６は同実施例を時系列で示す説明図である。
【００５１】
図１において、１は流し台であり、流し台天板1aの一部にシンク10を形成するとともに、内部には収納部11を形成している。
【００５２】
シンク10には、図示しない温水器を介して水道配管２に連通連結するとともに、逆Ｊ字状に形成した吐水具３を設けており、同吐水具３の先端に形成した吐水口31をシンク10に臨ませている。
【００５３】
また、吐水具３は、前記水道配管２との連結基部に電磁開閉弁及び流路切換弁（図示せず）を配設した弁ボックス４を備えており、流路開閉弁による流路切換により、水道水を直接吐水具３に導入したり、あるいは、後述する整水器６側に導水したりすることができる。そして、かかる流路開閉弁の下流側に設けた電磁開閉弁の開度を全閉から全開まで制御することにより、所望する勢いで吐水できるようにしている。
【００５４】
かかる電磁開閉弁の制御は、吐水具３の近傍に配設した操作パネル５の各種スイッチ51を操作することにより行うようにしている。すなわち、操作パネル５には図示しないマイクロコンピュータが接続され、電気信号を介して電磁開閉弁を全閉から全開までを任意に操作可能としている。52は７セグメントLEDからなる表示部であり、後述する本実施例の要旨であるところの設定した自動吐水の実行までの時間をカウントダウン表示可能とするとともに、整水器６の運転状態や水温、あるいは電磁開閉弁の開閉操作結果などを表示可能としている。
【００５５】
また、本実施例では、マニュアル操作により吐水可能とするために、吐水具３の基部に、開閉ハンドル32と、温度調節ハンドル33とを設けている。
【００５６】
さらに、前記したように、前記シンク10の下方に位置する収納部11内に、アルカリ性水と酸性水とを電気分解により創出する電解槽60を内蔵した整水器６を設置しており、箱状に形成した整水器ケース63内に収納した電解槽60の酸性水流出口62aとアルカリ性水流出口62bとを、前記弁ボックス４にそれぞれ配管接続している。
【００５７】
また、本実施例における整水器６は、中空糸膜及び活性炭を内蔵した浄水部７を具備しており、前記整水器ケース63の側部に設けたホルダ7aに保持されている。そして、浄水部の上端に設けた入水口71と前記弁ボックス４の流路切換弁とを連通連結するとともに、入水口71に並設した出水口72と前記電解槽60の入水口61とを連通連結している。
【００５８】
なお、図１及び図２中、12はシンク10と下水道とを連通した排水管、41は弁ボックス４と浄水部７の入水口71とを連通連結した原水用配管、42は同浄水部７の出水口72と電解槽60の入水口61とを連通連結した浄水用配管、43,44は、同電解槽60の酸性水流出口62aとアルカリ性水流出口62bと、弁ボックス４とをそれぞれ連通連結した電解水配管である。
【００５９】
また、前記各配管42,43,44は、実質的には、整水器ケース63の上面部に設けたコネクタ部63a,63b,63cを介して電解槽60と接続されている。64は圧力スイッチ、65は整水器ケース63の下面に設けた防振ゴムからなる脚座である。
【００６０】
かかる構成により、操作パネル５の各種スイッチ51を操作すれば、原水となる水道水を所望温度、所望水量で吐出させたり、電気分解して得たアルカリ性水や酸性水を、所望する水量で選択的に吐水具３より吐出させることができる。
【００６１】
なお、酸性水、アルカリ性水のいずれかを選択して吐水具３より吐水させる場合は、選択されていない電解水は、図示しない電解水排出管を介してシンク10内に排水するようにしている。したがって、アルカリ性水を選択して吐水具３より取水する場合、酸性水はシンク10に排水されることになり、シンク10の洗浄を行うことができる。もちろん、アルカリ性水吐水中でも排水される水を酸性水として利用することもできる。
【００６２】
上記した吐水具３を具備するアンダーシンク型の整水器６において、本実施例の要旨となるのは、吐水具３内及び同吐水具３に連通する流路、具体的には弁ボックス４内に配設した電磁弁よりなる流路開閉弁の上下流側に滞留した水を、定期的に自動吐水させて雑菌の増殖を抑制する自動洗浄機能を付加したことにある。
【００６３】
すなわち、例えば３日以上のように、これ以上水を滞留させると雑菌が繁殖するおそれのある時間よりも短い間隔で定期的に所定時間吐水させることで、流路開閉弁の下流側に滞留した水を捨てて新しい水を導入し、次に使用者が吐水具３から取水するときには雑菌が含まれることのないように制御するものである。
【００６４】
図３及び図４に、本実施例に係る整水器６の自動洗浄機能に関するフローチャートを示している。
【００６５】
図３に示すように、水周り機器を購入して設置し、電源をオンにすると(100)、工場出荷時に予め設定されている自動吐水開始、すなわち自動洗浄までの時間をバックアップ装置から呼び込む(200)。なお、自動洗浄がなされるまでの設定時間を、以下「洗浄時間」と記載する。
【００６６】
そして、洗浄時間、すなわち、これから何時間後に自動吐水が行われるかを、前記した表示部52に数字で表示する(300)。なお、この洗浄時間の表示処理(300)をサブルーチンとして図４に示す。
【００６７】
本実施例では、この工場出荷時の洗浄時間を１２時間としており、このまま新たに洗浄時間を設定しない限り、電源をオンした時間から１２時間後に自動吐水（自動洗浄）が1分間行われ、その後についても、24時間毎に自動吐水が定期的に行われる。
【００６８】
なお、本実施例の整水器では吐水具から直接原水を吐水するモードと、アルカリ性水を吐水するモード、酸性水を吐水するモードの他に浄水を吐水するモードがあるが、自動吐水時には少なくとも原水を吐水するモードでない方が好ましい。アルカリ性水、酸性水、浄水の吐水モードであれば、整水器内の滞留水を吐水可能であり、特に浄水の吐水モードであれば電解をしないため、節電にもなる。
【００６９】
もちろん、電解させながら自動吐水させることも可能であり、この場合はあらかじめモード毎の使用履歴を記憶しておき、自動吐水時に使用頻度の少ないモードに設定して行うようにすれば酸、アルカリの使用格差を是正出来、電解槽の逆電解による洗浄機会を低減もしくは無くすことが出来る。さらには上記自動吐水は使用頻度の格差に応じた時間だけ行えば非常に効果的である。
【００７０】
他方、操作パネル５に設けたアップダウン方式の設定ボタン53を操作して、新たに洗浄時間を設定しなおすと(400)、その新しい設定による洗浄時間がカウントダウンされていき、その時間が０〜２４の数字で前記表示部52に表示される(500)。
【００７１】
洗浄時間の表示処理(300)のフローとしては、図４に示すように、自動吐水が行われるまで、すなわち、自動吐水がなされていない間(310)は、表示部52では７セグメントLEDにより洗浄時間を示す数字が１時間毎に減るカウントダウン表示がなされており(320)、タイムアップして自動吐水がなされると(330)、表示部52では自動吐水がなされている１分間は、自動吐水を実行中であることを、７セグメントLEDにより「０」で表示する(340)。
【００７２】
かかる自動洗浄に至るまでを、図５を参照しながらより具体的に説明する。
【００７３】
すなわち、本実施例に係る整水器６を購入して設置して、電源を投入したときの時間が午後２時であった場合、使用者が望む自動吐水の開始時刻が午前３時でれば、使用者は、設定ボタン53を操作して洗浄時間を１３と入力する。すると、表示部52には「１３」という数字が７セグメントLEDで表示され、一時間毎に数字が減るカウントダウン表示が開始される（図５(a)）。
【００７４】
時間が経過して例えば１２時間経過した午前２時には、カウントダウンが進んでいるので、表示部52には「１」と表示されている（図５(b)）。したがって、表示部52を見れば、１時間後には自動吐水が開始されることが分かる。
【００７５】
そして、さらに１時間経過して、午前２時から午前３時になる瞬間に、表示部の数字は「１」から「０」になってタイムアップとなり、午前３時からの自動吐水を１分間実行する。しかも、自動吐水が実行中であることを表示するために、かかる「０」表示が、この自動吐水の１分間継続する（図５(c)）。
【００７６】
すなわち、カウントダウン表示する表示部52において用いられる時間を示す数字の「０」自体を、目的動作の実行中であることを示すサインとしていることから、自動吐水実行中であることを表示するための特別な表示部を別途設ける必要がない。
【００７７】
１分間の自動吐水が終了すると、翌日の午前２時の自動吐水までの時間、すなわち、２４時間後であることを示す「２４」という数値が表示部に示される（図５(d)）。つまり、この「２４」の表示は、実際には５９分間継続することになる。したがって、５９分後には「２３」と表示が変わり（図５(e)）、順次、「２２」、・・・「２」、「１」と順次、翌日の午前２時の自動吐水まで表示が移り変わっていく。
【００７８】
このように、自動吐水実行中の１分という限られた短時間を「０」で表示し、自動吐水が終了して次回の洗浄時間を表示する際に、実際は自動吐水を実行した１分だけ短いにもかかわらず、２４時間後であることを示す「２４」という数字で表示するようにしたために、使用者にとって、２４時間後に再度自動吐水がなされることを直感的に認識することができるので、表示方式として、使用者側にきわめて分かり易い。
【００７９】
また、図６に示すように、１３時間後に自動吐水が行われるように設定した場合(400)、その設定された時刻の所定時間（キャンセル時間帯とする）前、本実施例では２時間前までに通常の吐水動作が行われた場合(410)、自動吐水をキャンセルするようにしている。図示するように、設定時刻の約７０分前に通常吐水をした場合とすると、そのときの操作パネル５の表示部52には「２」と表示されており(420)、それから時間が経過して自動吐水を行うように設定した時間となると、自動吐水はキャンセルされたために、表示部52には次の自動吐水(430)までの洗浄時間を示す「２４」が表示される(440)。
【００８０】
すなわち、通常、雑菌増殖防止のための自動吐水は一日、あるいは二日に一度行えば十分であり、キャンセル時間帯を上記したように例えば２時間とした場合に、これは雑菌増殖に大きな影響を与えることのない時間であって、その間に通常の吐水動作がなされると、この通常吐水からわずか２時間後に設定された自動吐水はキャンセルしても雑菌増殖防止は十分に可能である。
【００８１】
また、図６に示すように、キャンセル時間帯以外の時間帯において通常吐水があっても(450)、設定時刻になれば自動吐水が行われ(460)、一日に一回は自動吐水が確実に行われることになる。なお、このときの自動吐水実行中には、表示部52には「０」が表示されており(470)、１分間の吐水が終了すると、前述したように、表示は「２４」となる。
【００８２】
他方、上記したキャンセル時間帯を、例えば１２時間とか２４時間などのように長い時間で設定することもでき、かかる設定とすれば、通常の使用をする限りはキャンセル時間帯内に通常吐水を行うのが普通なので、旅行などで長期留守する場合を除いて自動吐水は殆ど行われないことになる。
【００８３】
次に、他の実施例として、自動吐水の実行タイミングを、水周り機器の使用履歴から使用閑散時期を算出して設定可能とした場合について説明する。
【００８４】
この場合は、整水器６に、タイマー機能及び操作パネル５と連動させたマイコンなどの演算装置を設け、各種スイッチ51の操作により発信される信号を識別するとともにカウントすることで、吐水具３からの吐水回数や吐水時間、吐水から吐水までの間隔、さらには一定時間当たりの吐水頻度などを演算させ、一日のうちで、最も吐水機会の少ない時間帯を算出決定して、この時間帯内に自動吐水させる時刻を自動的に設定するようにしている。
【００８５】
そして、演算したときから設定された自動吐水の時刻まで、すなわち、洗浄時間が操作パネル５の表示部52に表示される。そして、前述同様に、設定された後は、２４時間のインターバルで自動吐水が実行される。
【００８６】
さらに、先の実施例同様に、キャンセル時間帯を設けて、このキャンセル時間帯に通常の吐水動作が行われた場合は、自動吐水をキャンセルできるようにすることもできる。
【００８７】
このとき、キャンセル時間帯に行なわれた吐水動作の合計時間を計測しておき、合計時間が洗浄に必要な時間（１分間）以上の時だけ自動吐水をキャンセルするようにしてもよい。
【００８８】
ところで、上記したように、自動吐水の実行タイミングを、水周り機器の使用履歴から使用閑散時期を算出して設定する場合、例えば一週間単位で算出された最新の使用履歴情報から週毎に更新されるようにすることができる。
【００８９】
このようにすることで、自動吐水のタイミングを、いつでも使用者の新しい生活習慣に合わせることができる。
【００９０】
なお、上記してきた各実施例では、自動吐水のインターバルを２４時間としたが、２４時間の倍数であってもよい。例えば４８時間のインターバルとすると、二日に一回は所定時刻に自動吐水が行われることになる。
【００９１】
以上、実施例を通して本発明を説明したが、本発明の適用は整水器などに限定するものではなく、浄水器や手洗い器、うがい器などのように、吐水具を具備する水周り機器であればなんでもよい。
【００９２】
【発明の効果】
(1)請求項１記載の本発明では、吐水具を備えた水周り機器の吐水具内及び同吐水具に連通する流路内の滞留水を、定期的に自動吐水させて雑菌の増殖を抑制する吐水具周りの雑菌増殖抑制方法において、自動吐水の実行を一日一回に設定し、設定された自動吐水の実行が何時間後であるかを１〜２４の数値でカウントダウン表示可能とするとともに、自動吐水実行中であることを、数値０で表示するようにしたので、例えば、浄水器や整水器などの水周り機器を使用していて、旅行などで数日留守する場合でも、留守中に滞留水を自動的に排水処理して雑菌が増殖することを確実に防止でき、帰宅後にわざわざ捨て水などをしなくてもよくなり、健康のために導入した前記水周り機器を安心して利用することができる。  また、自動吐水が終了すると、目的実行直後の表示が「２４」となって、２４時間後に再度目的が実行されることを直感的に認識することができる。
【００９３】
(2)請求項２記載の本発明では、自動吐水の実行タイミングとして設定された時刻の所定時間前までに通常の吐水動作が行われた場合、自動吐水をキャンセルすることとしたので、無駄に吐水することがなく節水することができる。
【図面の簡単な説明】
【図１】吐水具を具備する水周り機器としてのアンダーシンク型整水器の設置状態を示す説明図である。
【図２】同整水器の説明図である。
【図３】吐水具周りの雑菌増殖抑制方法の実施例を示すフローチャートである。
【図４】吐水具周りの雑菌増殖抑制方法の実施例を示すフローチャートである。
【図５】同実施例を時系列で示す説明図である。
【図６】同実施例を時系列で示す説明図である。
【符号の説明】
１  流し台
３  吐水具
５  操作パネル
６  整水器（水周り機器）
10  シンク
52  表示部
【図１】
0004624533.tif 000002
【図２】
0004624533.tif 000003
【図３】
0004624533.tif 000004
【図４】
0004624533.tif 000005
【図５】
0004624533.tif 000006
【図６】
0004624533.tif 000007